(57)【要約】【課題】角部に形成される耳片１６をしっかり摘むことができる食品包装体を提供する。【解決手段】幅方向に分離可能な外シート２と、シート状食品４を挟んで外シート２に重ね合わせられ、外シート２と同方向に分離可能な内シート３とを備え、シート状食品４を囲むように外シート２と内シート３とが接合される食品用包装材１により略三角形状に包装され、それぞれ角部に、食品用包装材１の余分なシートを重ねて扁平状にした耳片１６を備える食品包装体において、少なくとも一つの耳片１６は、耳片１６の突出方向Ｐに対する抵抗増大部１８を備える。【選択図】図７
2019218107.tif 000002
【特許請求の範囲】
【請求項１】
幅方向に分離可能な外シートと、シート状食品を挟んで前記外シートに重ね合わせられ、前記外シートと同方向に分離可能な内シートとを備え、前記シート状食品を囲むように前記外シートと前記内シートとが接合される食品用包装材により略三角形状に包装され、それぞれ角部に、前記食品用包装材の余分なシートを重ねて扁平状にした耳片を備える食品包装体において、
少なくとも一つの耳片は、該耳片の突出方向に対する抵抗増大部を備える
食品包装体。
【請求項２】
前記抵抗増大部は、前記耳片における封止部を兼ねる
請求項１に記載の食品包装体。
【発明の詳細な説明】
【技術分野】
【０００１】
本発明は、食品用包装材により包装された食品包装体に関する。
【背景技術】
【０００２】
正面形状が三角形状（主として正三角形状）あるいはこれに類似する形状で、所定の厚みを有する立体形状に仕上げられた三角おにぎり等の米飯加工食品等の食品を包装するための食品用包装材は、幅方向の中央部に長手方向に沿ってカットテープが設けられる矩形状の外シートと、カットテープに沿って内端部同士が重ね合わされ、シート状食品を挟んで外シートに重ね合わせられる一対の内シートとを備え、シート状食品を囲むように外シートと内シートとが接合される形態が一般的であり、例えば特許文献１に記載されたものが公知である。
【０００３】
かかる食品用包装材は、食品を挟んで長手方向に二つ折りにし、左右の余分なシート片を中心側に折って略三角形状にし、折った部分をポイントシールしたり、ラベルを貼付する工程を経て、食品を包装するものである。
【０００４】
食品包装体にされた食品を食する際には、外シートのカットテープを引き回し、外シートを長手方向に分断した後、食品包装体の底辺の角部に形成された左右の耳片をそれぞれ摘んで、分断された一対の包装体片をそれぞれ側方へ引っ張ることにより、食品をシート状食品と一体化させた状態で取り出して食品を食することができる。
【先行技術文献】
【特許文献】
【０００５】
【特許文献１】特開２００２−１６６９６８号公報
【発明の概要】
【発明が解決しようとする課題】
【０００６】
しかしながら、通常、耳片は、食品用包装材の余分なシートを重ねて扁平状にしたものであり、シート地そのものであるため、グリップ性が乏しい。むしろ、耳片の表面には、食品や製造工程に由来する油膜が付いていることもあり、滑りやすくなっていることさえある。そのため、左右の耳片をそれぞれ摘んで、分断された一対の包装体片をそれぞれ側方へ引っ張るという操作が円滑に行えず、開封に手間取ることがあるという問題がある。
【０００７】
そこで、本発明は、かかる事情に鑑みてなされたもので、角部に形成される耳片をしっかり摘むことができる食品包装体を提供することを課題とする。
【課題を解決するための手段】
【０００８】
本発明に係る食品包装体は、
幅方向に分離可能な外シートと、シート状食品を挟んで外シートに重ね合わせられ、外シートと同方向に分離可能な内シートとを備え、シート状食品を囲むように外シートと内シートとが接合される食品用包装材により略三角形状に包装され、それぞれ角部に、食品用包装材の余分なシートを重ねて扁平状にした耳片を備える食品包装体において、
少なくとも一つの耳片は、耳片の突出方向に対する抵抗増大部を備える。
【０００９】
ここで、本発明に係る食品包装体の一態様として、
抵抗増大部は、耳片における封止部を兼ねる
構成を採用することができる。
【発明の効果】
【００１０】
以上の如く、本発明に係る食品包装体によれば、耳片に抵抗増大部が設けられることで、耳片のグリップ性が向上し、耳片をしっかりと摘むことができる。
【図面の簡単な説明】
【００１１】
【図１】図１は、本発明の第一の実施形態に係る食品用包装材の分解斜視図である。
【図２】図２は、同食品用包装材の正面図である。
【図３】図３は、同食品用包装材の背面図である。
【図４】図４（ａ）ないし（ｃ）は、同食品用包装材を用いて食品を包装する過程の説明図である。
【図５】図５（ａ）ないし（ｃ）は、図４の続きの説明図である。
【図６】図６（ａ）は、同食品包装材により包装された食品包装体の角部の耳片に抵抗増大部を形成する工程の説明図であり、図６（ｂ）は、図６（ａ）のＡ部拡大図であり、図６（ｃ）は、抵抗増大部が形成された耳片の拡大図である。
【図７】図７（ａ）は、同食品包装体を斜め前方から見た斜視図であり、図７（ｂ）は、同食品包装体を斜め後方から見た斜視図である。
【図８】図８（ａ）及び（ｂ）は、同食品包装体を開封する過程の説明図である。
【図９】図９は、本発明の第二の実施形態に係る食品用包装材の分解斜視図である。
【図１０】図１０は、同食品用包装材の正面図である。
【図１１】図１１は、同食品用包装材の背面図である。
【図１２】図１２（ａ）は、同食品用包装材の開封起点の拡大図であり、図１２（ｂ）は、同開封起点に開封用ラベルを貼付した状態の拡大図であり、図１２（ｃ）は、図１２（ｂ）のＢ−Ｂ線断面図である。
【図１３】図１３（ａ）は、同食品用包装材により包装された食品包装体を斜め前方から見た斜視図であり、図１３（ｂ）は、同食品包装体を斜め後方から見た斜視図である。
【図１４】図１４（ａ）及び（ｂ）は、同食品包装体を開封する過程の説明図である。
【図１５】図１５（ａ）及び（ｂ）は、それぞれ別の実施形態に係る食品包装体の斜視図である。
【図１６】図１６（ａ）及び（ｂ）は、それぞれさらに別の実施形態に係る食品包装体の斜視図である。
【図１７】図１７（ａ）ないし（ｃ）は、それぞれさらに別の実施形態に係る食品包装体の角部の耳片の拡大図である。
【図１８】図１８（ａ）ないし（ｉ）は、それぞれさらに別の実施形態に係る食品包装体の角部の耳片の拡大図である。
【発明を実施するための形態】
【００１２】
＜第一の実施形態＞
以下、本発明の第一の実施形態として、三角おにぎりの包装に用いられる食品用包装材及びこの食品用包装材により包装された食品包装体の一実施形態について、図１ないし図８を参酌して説明する。
【００１３】
図１ないし図３に示す如く、本実施形態に係る食品用包装材１は、互いに直交する方向の一方が他方よりも長い形状を有する一対のシート（外シート２、内シート３）が、三角おにぎりに巻く海苔等のシート状食品４を挟んで重ね合わされ、シート状食品４を囲むようにして、長手方向の一端側及び他端側における端部接合部１１，１１と両側部における側部接合部１２，１２により四方が封止された本体１０を備える。なお、以下では、上記一方（図２及び図３では、上下方向）を「長手方向」といい、他方（図２及び図３では、左右方向）を「幅方向」という。
【００１４】
外シート２は、ポリエチレンやポリプロピレン等の熱溶着性を有するプラスチックシートからなり、長手方向に二つ折りにした状態で食品を包み込める大きさの矩形状ないし略矩形状（長方形状ないし略長方形状）を有する。
【００１５】
内シート３も、ポリエチレンやポリプロピレン等の熱溶着性を有するプラスチックシートからなり、長手方向に二つ折りにした状態で食品を包み込める大きさの矩形状ないし略矩形状を有する。また、内シート３は、長手方向に沿って内端部同士が重ね合わされた一対の内シート３，３からなり、内端部同士が重ね合わされた状態の大きさが外シート２と同じ大きさである。本実施形態においては、内シート３，３の内端部同士の重ね合わせ部３０は、内シート３の幅方向の中央部ないし略中央部に設けられる。
【００１６】
端部接合部１１は、内シート３，３の内端部同士の重ね合わせ部３０を除き、外シート２及び内シート３の一端及び他端に沿って外シート２及び内シート３をヒートシールすることにより形成される。側部接合部１２は、外シート２及び内シート３の側縁に沿って外シート２及び内シート３をヒートシールすることにより形成される。なお、本実施形態においては、側部接合部１２には、幅方向に通気可能なように連通部１２ａが長手方向に適宜間隔で設けられ、側部接合部１２は、連通部１２ａによって複数に分割された形態となる。
【００１７】
このようにして構成された本体１０の内部がシート状食品４の収容部となるが、外シート２の一端には、幅方向に所定間隔を有して離間する一対の切込線２０，２０が形成される。切込線２０は、全切線、半切線（ハーフカット）、ミシン目等によって形成され、切込線２０の形成によって開封起点としての摘み部２１が形成される。そして、摘み部２１から外シート２の他端にかけて開封案内手段５が設けられる。開封案内手段５は、例えば、外シート２の内面に貼着されるカットテープ（開封用条体）や、一対のハーフカットや糸等である。これにより、摘み部２１を引き下ろすことにより、開封案内手段５が所定の幅で外シート２を切断し、外シート２が幅方向に分離可能となる。本実施形態においては、開封案内手段５は、外シート２の幅方向の中央部ないし略中央部に設けられ、内シート３，３の内端部の重ね合わせ部３０と重なる。
【００１８】
本体１０の四隅の角部には、切欠部１４が形成される。切欠部１４は、食品用包装材１を用いて食品を包装する際の、左右の余分なシート片の一部を切欠部１４により無くすことにより、左右の余分なシート片を中心側に折って略三角形状にするにあたり、シート片の重なりを少なくするためのものである。
【００１９】
本実施形態に係る食品用包装材１は、以上の構成からなり、次に、この食品用包装材１を用いた食品の包装方法について説明する。
【００２０】
まず、図４（ａ）に示す如く、食品用包装材１の内シート３の上に三角おにぎり６を載せる。このとき、三角おにぎり６が内フィルム３，３の重ね合わせ部３０の上に左右均等に載り、かつ、三角おにぎり６の一つの角部が食品用包装材１の一端側の摘み部２１に向くように三角おにぎり６を配置する。
【００２１】
次に、同図（ｂ）に示す如く、食品用包装材１を、一端側とこれに対向する他端側を合わせるように長手方向に二つ折りにし、折った側の部分は、三角おにぎり６の側面（三角形状の斜面）にも沿うように折る。これにより、食品用包装材１の長手方向の一端側半分が三角おにぎり６の正面を覆い、他端側半分が三角おにぎり６の背面を覆うとともに、食品用包装材１の左右のシート片１５，１５が食品用包装材１の一端と他端の位置がずれた状態となって余る。
【００２２】
そこで、同図（ｃ）に示す如く、左右のいずれか一方の余分なシート片１５を折って、食品用包装材１の、三角おにぎり６の背面を覆っている部分の上に重ね、その上に、図５（ａ）に示す如く、他方の余分なシート片１５を折って、食品用包装材１の、三角おにぎり６の背面を覆っている部分の上に重ねて、略三角形状にする。
【００２３】
このとき、略三角形状のそれぞれ角部には、複数枚のシート（本実施形態においては、外シート２のシートが四枚、内シート３のシートが四枚、合計八枚のシート）が重なって扁平状となった耳片１６が形成される。
【００２４】
そして、同図（ｂ）に示す如く、左右の余分なシート片１５，１５の、切欠部１４によって互いに重なっていないそれぞれの部分を、食品用包装材１の、三角おにぎり６の背面を覆っている部分にポイントシール等により接合し（接合部１７）、食品用包装材１を、三角おにぎり６を包み込んだ状態に固定する。そして、同図（ｃ）に示す如く、その上に、ラベル７を貼付する。なお、接合部の形状は図示のような円形状に限らず、長円形状、楕円形状、多角形状、線状等の種々の形状とすることができ、接合部の数も、二箇所に限らず、三箇所以上としたり、幅方向に長い大きな接合部を一箇所施すようにしてもよい。
【００２５】
これにより、食品包装体は一応完成するが、本実施形態においては、三つの角部のそれぞれ耳片１６に対し、凹凸加工が施される。より詳しくは、三つの角部のそれぞれ耳片１６は、耳片１６の突出方向の軸回りに余分なシート片が折り畳まれただけであり、平滑面となっているので、耳片１６の突出方向に対する抵抗増大を目的として、これに凹凸加工が施される。
【００２６】
凹凸加工の方法は、各種の公知の方法を採用できるが、ここでは、凹凸面を有するシーラーを用いたヒートシールによる場合について説明する。図６（ａ）及び（ｂ）に示す如く、食品包装体の各耳片１６の抵抗増大部１８は、一対のシーラー１００，１０１によって形成される。このシーラーは、断面形状が凸状の凸条１００ａを所定間隔をあけて複数（本実施形態においては、三つ）有するシーラー１００と、断面形状が凹状の凹溝１０１ａを、凸条１００ａと同じピッチで複数（本実施形態においては、三つ）有するシーラー１０１とで構成される。
【００２７】
これにより、同図（ｃ）及び図７に示す如く、食品包装体の三つの角部のそれぞれ耳片１６には、耳片１６の一方の面に対して凸条となり、耳片１６の反対の面に対して凹溝となる抵抗増大部１８が、耳片１６の突出方向Ｐに所定間隔をあけて複数（本実施形態においては、三つ）形成されて、耳片１６全体が凹凸形状となる。なお、これらの図面及び以後の図面において、抵抗増大部１８の形態を理解しやすくするために抵抗増大部１８の凹凸の高さを比較的大きめに表している。本発明においては、このような抵抗増大部１８のみならず、凹凸の高さがこれよりも小さいものも当然に採用され得る。
【００２８】
以上の構成からなる食品包装体について、三角おにぎり６を食する際には、図８（ａ）に示す如く、摘み部２１を摘んで開封案内手段５を縦回りに引き回し、外シート２を長手方向に分断する。この際、開封案内手段５は、互いに間隔を有する二本のカットテープからなるので、幅広の分断開口を形成することができる。これにより、外シート２を分断後、外シート２とシート状食品４との接触面積が少なくなる。そして、同図（ｂ）に示す如く、分断された一対の包装体片をそれぞれ側方へ引っ張ることにより、三角おにぎり６をシート状食品６と一体化させた状態で取り出すことができる。
【００２９】
このとき、複数の抵抗増大部１８，…によって耳片１６全体が凹凸形状となっているため、耳片１６の突出方向に対して抵抗となり、耳片１６にグリップ性（滑り止め性）が付与される。これにより、食品包装体の底辺に位置する左右の耳片１６，１６をそれぞれ摘んで、分断された一対の包装体片をそれぞれ側方へ引っ張る際に、耳片１６，１６をしっかりと摘むことができて、開封操作性を向上することができる。
【００３０】
また、三つの角部のそれぞれ耳片１６は、上述のとおり、耳片１６の突出方向の軸回りに折り畳まれているので、基本的には開口は生じていないが、折り畳みが不十分であったり、折り畳まれたシートの弾発力により、開口が生じる可能性は否定できない。そして、これにより、食品包装体の内外が連通した状態となり、ここから異物等が混入する余地が残る。しかし、本実施形態に係る食品包装体によれば、抵抗増大部１８は、耳片１６の突出方向Ｐと交差する耳片１６の幅方向に形成されたシールライン（封止部）であるため、耳片１６の密封性が向上しており、しかも、各耳片１６に抵抗増大部１８が複数設けられるため、たとえ耳片１６の厚みや機械上のバラツキに起因する抵抗増大部の接合強度の部分的な低下が生じたとしても、高い密封性を維持することができる。
【００３１】
なお、食品包装体の底辺に位置する左右の耳片１６，１６の各抵抗増大部１８は、耳片１６の突出方向Ｐと交差する耳片１６の幅方向において、耳片１６の全幅に亘って形成される。これにより、極めて高い密封性を得ることができる。
【００３２】
これに対し、食品包装体の頂角部の耳片１６の各抵抗増大部１８は、耳片１６の突出方向Ｐと交差する耳片１６の幅方向の、摘み部２１及び開封案内手段５側の側部（耳片１６の、食品包装体の正面側の縁部）には形成されていない。これは、この側部まで延びて抵抗増大部１８が形成されるとすると、摘み部２１や開封案内手段５近傍付近のシートが接合により一体化されてしまい、摘み部２１の機能が損なわれたり、開封困難になるおそれがあるからである。
【００３３】
＜第二の実施形態＞
次に、本発明の第二の実施形態について、図９ないし図１４を参酌して説明する。なお、第一の実施形態との違いは、開封起点の位置及び構造のみであり、その他の構成は同じなので、同じ構成についての説明は省略する。
【００３４】
図９ないし図１１に示す如く、外シート２の一端よりも長手方向の中心側に寄った位置であって、開封案内手段５上に、全切線からなる切込線２０が形成される。図１２に示す如く、切込線２０は、開封案内手段５の端部以外の部位と交差する第一切込線２０ａと、間に開封案内手段５を挟んで食品用包装材１の幅方向に所定間隔を有して離間し、それぞれが端部以外の部位で第一切込線２０ａと交差する一対の第二切込線２０ｂ，２０ｂとを備える。これにより、開封案内手段５は、第一切込線２０ａによって分断されるとともに、第一切込線２０ａと、一対の第二切込線２０ｂ、２０ｂの、第一切込線２０ａよりも外シート２の他端側の部分とを外形線とする切込片２１が開封起点として形成される。本実施形態においては、第一切込線２０ａの端部と第二切込線２０ｂの中間部位が交差することで、切込線２０は、Ｈの文字形状を呈する。
【００３５】
切込線２０の形成によって外シート２の内外が連通し、ここから異物等が混入する余地が残るため、切込線２０は、外シート２の内面に配置される被覆シート８によって覆われ、外シート２の内外が遮蔽される。被覆シート８は、切込線２０を囲むようにヒートシール等により外シート２の内面に接合し（接合部２２）、気密性が維持される。
【００３６】
外シート２の外面には、少なくとも切込片２１に接するようにして開封操作片９が配置される。開封操作片９は、外シート２に剥離自在に粘着ないし接着する粘着面ないし接着面を有する本体部９ａと、本体部から延出する摘み部９ｂとを備える。本体部９ａは、切込線２０を覆うように外シート２の外面に貼着される。摘み部９ｂは、本体部９ａから外フィルム２の一端側に延び、遊離端となる。なお、本実施形態においては、本体部９ａは、食品包装体の商品名や商品情報やこれに関連する意匠を表示する領域を設けるため、切込線２０よりも十分な大きさに形成される。これにより、開封操作片９は、ラベルとしても機能する。
【００３７】
図１３に示す如く、食品包装体にした状態で、切込線２０及び開封操作片９の摘み部９ｂは、食品包装体の頂角部あるいはその近傍に位置することになる。そして、この開封起点が頂角部の耳片１６にはなく、食品６の包装領域にあるため、上記第一の実施形態のように、頂角部の耳片１６において、食品包装体の正面側の縁部に抵抗増大部１８を設けないようにする必要はない。そこで、本実施形態においては、食品包装体の三つの角部のそれぞれ耳片１６には、耳片１６の突出方向Ｐに所定間隔をあけて配置される複数（本実施形態においては、三つ）の抵抗増大部１８，…が形成されるとともに、いずれの抵抗増大部１８も、耳片１６の全幅に亘って形成される。これにより、いずれの耳片１６においても、極めて高い密封性を得ることができる。
【００３８】
以上の構成からなる食品包装体について、三角おにぎり６を食する際には、図１４（ａ）に示す如く、開封操作片９の摘み部９ｂを摘んで縦周りに引き回す。そうすると、切込線２１の第一切込線２１ａにより分断された開封案内手段５は、開封操作片９に貼着されているので、開封案内手段５が外シート２を長手方向に分断することになる。なお、この状態では、食品包装体の頂角部にまだ外シート２が分断されていない部分が残る。しかし、頂角部には、切込線２０の第二切込線２０ｂの、第一切込線２０ａよりも外シート２の一端側の部分（頂角部の先端に向かう部分）が残っており、これが頂角部の先端に向けた開封起点となる。したがって、同図（ｂ）に示す如く、分断された一対の包装体片を、食品包装体の頂角部を中心としてそれぞれ側方へ引っ張り上げることにより、三角おにぎり６をシート状食品４と一体化させた状態で取り出すことができる。
【００３９】
このように、本実施形態に係る食品包装体によっても、複数の抵抗増大部１８，…によって耳片１６全体が凹凸形状となっているため、耳片１６の突出方向に対して抵抗となり、耳片１６にグリップ性（滑り止め性）が付与される。これにより、食品包装体の底辺に位置する左右の耳片１６，１６をそれぞれ摘んで、分断された一対の包装体片をそれぞれ側方へ引っ張る際に、耳片１６，１６をしっかりと摘むことができて、開封操作性を向上することができる。
【００４０】
また、本実施形態に係る食品包装体によれば、抵抗増大部１８は、耳片１６の突出方向Ｐと交差する耳片１６の幅方向に形成されたシールライン（封止部）であるため、耳片１６の密封性が向上しており、しかも、各耳片１６に抵抗増大部１８が複数設けられるため、たとえ耳片１６の厚みや機械上のバラツキに起因する抵抗増大部の接合強度の部分的な低下が生じたとしても、高い密封性を維持することができる。しかも、食品包装体の頂角部の耳片１６も、他の耳片１６と同様、耳片１６の全幅に亘って抵抗増大部１８が形成されるため、全ての耳片１６において、同等に高い密封性を維持することができる。
【００４１】
なお、本発明に係る食品用包装材及び食品包装体は、上記実施形態に限定されるものではなく、本発明の要旨を逸脱しない範囲で種々の変更が可能である。
【００４２】
例えば、上記実施形態においては、三つの耳片１６，…に、それぞれ抵抗増大部１８が設けられるが、本発明はこれに限定されるものではない。例えば、食品包装体の開封性向上のみを考慮するならば、図１５（ａ）に示す如く、食品包装体の底辺に位置する左右の耳片１６，１６にのみ抵抗増大部１８を設けるようにしてもよい。また、食品包装体の頂角部の耳片１６に設けられる抵抗増大部１８は、その耳片１６を摘むときのグリップ性が高められるため、物流過程で食品包装体を持つときや、店舗で食品包装体を陳列するときの把持部として有用であるとともに、食品包装領域を持たないようになるので、衛生的でもあるところ、この観点のみを考慮するならば、同図（ｂ）に示す如く、食品包装体の頂角部の耳片１６にのみ抵抗増大部１８を設けることもできる。
【００４３】
また、それぞれの観点のみを考慮するとしても、全ての耳片１６に抵抗増大部１８を設けることで、密封性が得られるので、例えば、図１６（ａ）に示す如く、食品包装体の底辺に位置する左右の耳片１６，１６の抵抗増大部１８よりは数が少ないが、食品包装体の頂角部の耳片１６にも抵抗増大部１８を設けるようにしたり、同図（ｂ）に示す如く、食品包装体の頂角部の耳片１６の抵抗増大部１８よりは数が少ないが、食品包装体の底辺に位置する左右の耳片１６，１６にも抵抗増大部１８を設けるようにしてもよい。
【００４４】
また、上記実施形態においては、凹凸の圧接により抵抗増大部１８を形成したが、抵抗増大部１８の形態はこれに限定されない。要は、抵抗増大部は、耳片１６の突出方向Ｐに指が引っ掛かる抵抗部分を有するものであれば、各種の形態を採用することができる。一例として、図１７（ａ）に示す如く、耳片１６の一方の面にのみ凸となるのではなく、他方の面にも凸となるものであってもよいし、同図（ｂ）に示す如く、耳片１６の突出方向だけでなく、幅方向にも凹凸が形成されるよう、例えば耳片１６にエンボス加工を施すようにしてもよいし、同図（ｃ）に示す如く、耳片１６の一部を折り返し、この折返し片の端部を抵抗増大部としたり、耳片１６の一部を摘み上げて襞部を形成し、この襞部を抵抗増大部とする等してもよい。
【００４５】
次に、抵抗増大部１８のさらに別の形態を示す。図１８に一例を示す。同図（ａ）は、ヒートシールにより形成される第一封止部１８Ａと、格子状にヒートシールされることにより形成される第二封止部１８Ｂの二種類の封止部１８が形成され、第一封止部１８Ａが耳片１６の基端側に形成され、非シール部を挟んで耳片１６の突出方向Ｐに第二封止部１８Ｂが形成される態様、同図（ｂ）は、その第二封止部１８Ｂが非シール部を挟んで耳片１６の突出方向Ｐに複数形成される態様、同図（ｃ）は、非シール部を設けることなく第一封止部１８Ａと第二封止部１８Ｂが接して形成される態様、同図（ｄ）ないし（ｆ）は、同図（ａ）ないし（ｃ）に対応しており、第二封止部１８Ｂの格子が縦横（平目）ではなく、耳片１６の突出方向Ｐに対して斜め（アヤ目）となる態様、同図（ｇ）ないし（ｉ）は、同図（ａ）ないし（ｃ）に対応しており、第二封止部１８Ｂが格子状ではなく、網点状となる態様を示す。第二封止部１８Ｂの格子状又は網点状を形成するにあたり、耳片１６の表面に凹凸が付くように第二封止部１８を形成することにより、第二封止部１８Ｂが（一態様として、第一封止部１８Ａとともに）抵抗増大部となる。
【００４６】
また、上記実施形態においては、食品は三角おにぎり（米飯加工食品）であり、シート状食品は海苔であった。しかし、食品は、食品用包装材で包装できる形であれば、三角以外の形状のおにぎり、寿司、サンドイッチ等であってもよく、食品の種類及び形状は限定されない。シート状食品も、食品用包装材の平面状の収容部に収容できる形であれば、シート状の昆布、畳鰯等であってもよく、シート状食品の種類及び形状は限定されない。
【符号の説明】
【００４７】
１…食品用包装材、１０…本体、１１…端部接合部、１２…側部接合部、１２ａ…連通部、１４…切欠部、１５…余分なシート片、１６…耳片、１７…接合部、１８…抵抗増大部、１８ａ…連通部、１８Ａ…第一封止部、１８Ｂ…第二封止部、２…外シート、２０…切込線、２０ａ…第一切込線、２０ｂ…第二切込線、２１…摘み部、切込片、２２…接合部、３…内シート、３０…重ね合わせ部、４…シート状食品、５…開封案内手段、６…三角おにぎり、７…ラベル、８…被覆シート、９…開封操作片、９ａ…本体部、９ｂ…摘み部、１００…シーラー、１００ａ…凸条、１０１…シーラー、１０１ａ…凹溝、Ｐ…突出方向
【図１】
2019218107.tif 000003
【図２】
2019218107.tif 000004
【図３】
2019218107.tif 000005
【図４】
2019218107.tif 000006
【図５】
2019218107.tif 000007
【図６】
2019218107.tif 000008
【図７】
2019218107.tif 000009
【図８】
2019218107.tif 000010
【図９】
2019218107.tif 000011
【図１０】
2019218107.tif 000012
【図１１】
2019218107.tif 000013
【図１２】
2019218107.tif 000014
【図１３】
2019218107.tif 000015
【図１４】
2019218107.tif 000016
【図１５】
2019218107.tif 000017
【図１６】
2019218107.tif 000018
【図１７】
2019218107.tif 000019
【図１８】
2019218107.tif 000020